(57)【要約】【課題】 光ディスク初期化装置とバーコード記録装置の兼用。【解決手段】　光ヘッド８が光ディスク１に複数のトラックにまたがる形状のレーザスポット光を照射して光ディスクの記録膜を初期化すると共に、データ生成部１５からのシリアルデータを変調クロックにより変調を行い、光ヘッド出力制御部１３が変調部１７からの信号に従って、検出部により回転角を検出しながら光ヘッド８のレーザをパルス駆動することにより、半径方向の記録長を可変とするバーコード状のデータを光ディスク表面に記録するもの。【選択図】　図１
2004127514.tif 000002
【特許請求の範囲】
【請求項１】
光ディスク面にバーコード状のデータを記録するための光ディスクバーコード状データ記録方法であって、
　データ記録用のトラックを設ける光ディスクにレーザスポット光を照射する光ヘッドと、光ディスクの表面に記録するデータを格納するデータバッファ部と、前記光ヘッド出力制御部及びデータバッファ部を制御するマイクロプロセッサとを用い、
　前記光ヘッドが光ディスクの半径方向に移動しながら、
　光ディスクにレーザスポット光を照射して光ディスクの記録膜の初期化を行う第１工程と、
　光ディスクに前記データバッファ部に格納されているデータに応じたレーザスポット光によりバーコード状データを光ディスク表面に記録する第２工程と、
　光ディスクにレーザスポット光を照射して光ディスクの記録膜の初期化を行う第３工程とを順次実行することを特徴とする光ディスクバーコード状データ記録方法。
【請求項２】
前記第２工程において、バーコード状データの光ディスク半径方向の記録長が可変であることを特徴とする請求項１記載の光ディスクバーコード状データ記録方法。
【請求項３】
レーザ照射により光ディスクの記録膜を初期化する光ディスク初期化装置において、
　データ記録用のトラックを設ける光ディスクにレーザスポット光を照射する光ヘッドと、光ディスクの表面に記録するデータを格納するデータバッファ部と、前記光ヘッド出力制御部及びデータバッファ部を制御するマイクロプロセッサとを備え、
　該マイクロプロセッサが、光ヘッドを光ディスクの半径方向に移動しながら、
　前記光ヘッドから光ディスクにレーザスポット光を照射して光ディスクの記録膜の初期化を行い、
　次いで前記光ヘッドから光ディスクに前記データバッファ部に格納されているデータに応じたレーザスポット光によりバーコード状データを光ディスク表面に記録し、
　次いで前記光ヘッドから光ディスクにレーザスポット光を照射して光ディスクの記録膜の初期化を行うことを特徴とする光ディスク初期化装置。
【請求項４】
前記バーコード状データを光ディスク表面に記録する際、バーコード状データの光ディスク半径方向の記録長が可変であることを特徴とする請求項３記載の光ディスク初期化装置。
　
【発明の詳細な説明】
【技術分野】
【０００１】
　本発明は、書換型光ディスクの初期化を行うと共に該光ディスク表面にシリアルデータを記録する光ディスクバーコード状データ記録方法及び該記録方法を用いた光ディスク初期化装置に関する。
【背景技術】
【０００２】
　一般に書換型光ディスクとしては、例えば記録面にレーザスポット光を照射することにより記録面の磁界方向を変化させてデータを記録する光磁気ディスクや、レーザスポット光を照射することにより記録面の相変化させてデータを記録する相変化型光ディスク等が知られている。
【０００３】
　これら光磁気ディスク及び相変化型光ディスク等は、光ディスクの製造後、これら光ディスクの種類に応じて、ディスク表面部にレーザスポットを照射して記録面の磁界方向を一定方向に変化させる又は記録面の相変化を行うことにより、記録面の初期化を行う必要があり、これら初期化を行う装置は、光ディスク初期化装置と呼ばれている。
【０００４】
　例えば、相変化型光ディスク用の初期化装置は、高速に記録面の初期化を行うために、１Ｗクラス以上の高出力レーザを使用すると共に、複数のトラックにまたがる長円状のレーザスポットを半径方向に移動しながら照射することにより、前述の初期化を行っている。
【０００５】
　他方、近年のＤＶＤ(Digital Video Disk又はDigital Versatile Disk)等の光ディスクは、ディスク最内周にＢＣＡ(Burst Cutting Area)コードなるバーコード状のデータが記録される場合がある。このＢＣＡコードは、主に著作権保護を目的とし、ディスク製造後に高出力レーザを使用した専用装置(以下、ＢＣＡコード記録装置と呼ぶ)により、反射膜の一部を半径方向が長手である長方形に除去し、低反射部を生成することによりディスク一回転範囲内にバーコード状のデータを記録している。尚、このＢＣＡに関する技術が記載された文献としては、例えば下記特許文献が開けられる。
【特許文献１】特開平１０−２３３０１９号公報
【発明の開示】
【発明が解決しようとする課題】
【０００６】
　前記従来技術による光ディスク初期化装置及びＢＣＡコード記録装置は、現在、用途に応じてそれぞれの装置が全く別個に使用されている。従って、今後ＤＶＤ−ＲＡＭ、ＤＶＤ−ＲＷ等の相変化型光ディスク製造工程においては記録面の初期化及びＢＣＡコードの記録が共に必要になることが十分に考えられ、そうした場合にディスク製造メーカでは光ディスク初期化装置とＢＣＡコード記録装置をそれぞれ用意する必要がある。
【０００７】
　ここで、前記した光ディスク初期化装置の特徴に着目すると、高出力レーザの使用、半径方向に長いレーザスポットの使用と、ＢＣＡコード記録装置と共通する機能及び有利な機能を保有しており、且つディスク製造工程における処理タイミングもほぼ同じである。また、相変化型光ディスクの場合、初期化前のディスク表面の反射率は非常に低く、例えば該光ディスクを初期化する際、レーザ光をパルス駆動することにより未初期化（アモルファス）部分をＢＣＡコードの記録マーク（低反射部）として残すことで、反射膜を除去することと同等のＢＣＡコード記録ができる。更に、この場合、レーザ光をパルス駆動するか否かだけで、ＢＣＡコードの記録又は記録面初期化の動作選択ができる。即ち、相変化型光ディスクの場合は、初期化とＢＣＡコードの記録の記録を一連の動作として行うことができる。以上のことから、光ディスク初期化装置をＢＣＡコード記録装置に応用することができ、これにより１台の装置で記録面の初期化とＢＣＡコードの記録が可能となり、ディスク製造メーカにおける設備コストの削減、更には製造コストの短縮も実現できる。
【０００８】
　本発明の目的は、光ディスク製造設備のコスト削減、ディスク製造タクトの短縮を行うことができ、バーコードの記録を行うことができる光ディスクバーコード状データ記録方法及び該記録方法を用いた光ディスク初期化装置を提供することである。
【課題を解決するための手段】
【０００９】
　前記目的を達成するために本発明は、光ディスク面にバーコード状のデータを記録するための光ディスクバーコード状データ記録方法において、データ記録用のトラックを設ける光ディスクにレーザスポット光を照射する光ヘッドと、光ディスクの表面に記録するデータを格納するデータバッファ部と、前記光ヘッド出力制御部及びデータバッファ部を制御するマイクロプロセッサとを用い、前記光ヘッドが光ディスクの半径方向に移動しながら、光ディスクにレーザスポット光を照射して光ディスクの記録膜の初期化を行う第１工程と、光ディスクに前記データバッファ部に格納されているデータに応じたレーザスポット光によりバーコード状のデータを光ディスク表面に記録する第２工程と、光ディスクにレーザスポット光を照射して光ディスクの記録膜の初期化を行う第３工程とを順次実行することを第１の特徴とし、この光ディスクバーコード状データ記録方法において、前記第２工程の、バーコード状のデータの半径方向の記録長が可変であることを第２の特徴とする。
【００１０】
　更に本発明は、レーザ照射により光ディスクの記録膜を初期化する光ディスク初期化装置において、データ記録用のトラックを設ける光ディスクにレーザスポット光を照射する光ヘッドと、光ディスクの表面に記録するデータを格納するデータバッファ部と、前記光ヘッド出力制御部及びデータバッファ部を制御するマイクロプロセッサとを備え、該マイクロプロセッサが、光ヘッドを光ディスクの半径方向に移動しながら、前記光ヘッドから光ディスクにレーザスポット光を照射して光ディスクの記録膜の初期化を行い、次いで前記光ヘッドから光ディスクに前記データバッファ部に格納されているデータに応じたレーザスポット光によりバーコード状のデータを光ディスク表面に記録し、次いで前記光ヘッドから光ディスクにレーザスポット光を照射して光ディスクの記録膜の初期化を行うことを第３の特徴とし、この光ディスク初期化装置において、前記バーコード状のデータを光ディスク表面に記録する際、バーコード状のデータの光ディスク半径方向の記録長が可変であることを第４の特徴とする。
【発明の効果】
【００１１】
　本発明による光ディスクバーコード状データ記録方法及び光ディスク初期化装置は、光ヘッドが光ディスクに複数のトラックにまたがる形状のレーザスポット光を照射する光ディスクの記録膜の初期化と、バーコード状のデータの光ディスク表面への記録と、光ディスクの残トラックに対する記録膜の初期化と、を順次実行することにより、バーコード状のデータを各種光ディスク表面に記録することができる。
【発明を実施するための最良の形態】
【００１２】
　以下、本発明の一実施形態による光ディスクバーコード状データ（例えばＢＣＡコード）が記録可能な光ディスク初期化装置及びその記録方法を図１を参照して説明する。
【００１３】
　本実施形態による光ディスク初期化装置は、光ディスクであるディスク媒体１を回転するスピンドルモータ２と、該スピンドルモータ２の回転軸に直結されて該モータの回転角を検出するロータリーエンコーダ３と、前記ディスク媒体１上にレーザスポット９を照射して記録膜の初期化及び後述するＢＣＡコードの記録を行う光学ヘッド８と、該光学ヘッド８をディスク半径方向に移動可能に支持するキャリッジ７と、該キャリッジ７を半径方向に駆動するキャリッジモータ４と、前記キャリッジ７の半径方向移動量を検出するリニアスケール５と、これら機構を支持するベース６と、前記スピンドルモータ２の回転を制御するスピンドル制御部１０と、前記キャリッジモータ４を駆動してキャリッジ７の移動を制御するキャリッジ制御部１１と、前記光学ヘッド８のディスク面へのレーザスポットの焦点制御を行うフォーカス制御部１２と、前記レーザスポット９の出力値を制御するレーザ出力制御部１３と、上位コントローラ２０からの指示及び光ディスク表面に記録するデータを中継するデータインタフェース部１９と、該データインタフェース部１９から受け取った前記データをＢＣＡコードのフォーマットに従ったシリアルデータに変換するデータ変換部１５と、前記シリアルデータを格納するデータバッファ部１６と、該データバッファ部１６及び前記複数の制御部を制御すると共に前記データ変換部１５を含むマイクロプロセッサ１４と、前記スピンドル制御部１０から出力されるディスク回転信号に同期したクロックを発生するクロック発生部１８と、前記データバッファ部１６からのシリアルデータをクロック発生部１８からのクロックに基づきＲＺ変調を行う変調部とを備え、上位コントローラ２０からの指示によってディスク媒体１の記録面の初期化及びディスク表面へのＢＣＡコード記録を行う様に構成されている。
【００１４】
　前記ロータリーエンコーダ３は、スピンドルモータの回転に同期してディスクの所定角度の回転によりディスク一回転毎に発生する信号Ｚ（パルス信号）及び回転角に応じた信号Ａ（パルス信号）を出力するものであり、これによってスピンドル制御部１０がディスク媒体１の回転角度を検出することができ、このロータリーエンコーダ３及びスピンドル制御部１０の一部が本願の検出部に相当する。
【００１５】
　前記クロック発生部１８は、ＰＬＬ等により前記信号Ａに同期したクロックを発生し、変調部１７により変調用クロックとして使用される。またリニアスケール５は、キャリッジ７の直線移動に同期して所定距離移動毎にパルス信号を出力するものであり、これによってキャリッジ制御部１１がキャリッジ７及び光学ヘッド８の移動量を検出し、且つこのパルス間隔を検出することによりキャリッジ７の移動速度も検出し、これら情報を用いてキャリッジの位置及び速度制御を行う様に構成されている。
【００１６】
　更にフォーカス制御部１２は、ディスク媒体１から反射される戻り光をフィードバックし、光学ヘッド８から照射したレーザスポット９のディスク媒体１上での径が変化しない様に制御することにより、ディスク媒体１の面振れや歪みに追随してレーザスポットの焦点制御を行うものである。またレーザ出力制御部１３は、記録面の初期化又はＢＣＡコード記録の動作に応じて任意のレーザ出力幅及び任意パルス間隔にて光学ヘッド８からレーザ光を照射する様に制御する。またマイクロプロセッサ１４は、前記スピンドル制御部１０、キャリッジ制御部１１、フォーカス制御部１２、レーザ出力制御部１３及びデータバッファ部１６を制御して初期化動作並びにＢＣＡコード記録動作等を制御すると共に、上位コントローラから指示された任意のデータをＢＣＡコードのフォーマットに従ったシリアルデータに変換するデータ変換部１５を含んでいる。
【００１７】
　次に、この光ディスク初期化装置を用いたＢＣＡコードの記録動作の原理を図２のタイムチャートを参照して説明する。
【００１８】
　図２は、前記スピンドル制御部１０から出力されるディスク一回転毎に出力される信号Ｚ及びディスク一回転中に約１０００パルスを出力される信号Ａと、前記クロック発生部１８から出力される信号Ａと同期した変調用クロック信号と、データバッファ部１６から出力されるディスクに記録すべきシリアルデータと、変調部１７から出力されるシリアルデータのＲＺ変調信号と、該ＲＺ変調信号に応じて光学ヘッドから照射されるレーザ出力と、このレーザ照射によりディスク媒体上に形成される低反射率の未初期化マーク（以下、アモルファスマークと呼ぶ）を示す図であり、本例ではディスク表面に"０１００１１"に相当するＢＣＡデータ（バーコード）を記録する例を示している。
【００１９】
　本実施形態による光ディスクバーコード状データの記録を行うＢＣＡコードの記録方法は、初期化前のディスク媒体１をスピンドルモータ２により回転した状態で、レーザスポット９をディスク半径方向に移動しながら照射することにより、ディスク媒体１の記録膜の初期化及びＢＣＡコードの記録を行う。
【００２０】
　本実施形態によるＢＣＡコードの記録方法は、初期化前のディスク媒体１を回転し、ディスク最内周でフォーカス制御部１２によりレーザスポット９の焦点制御を開始した後、前記スピンドル制御部１０から出力される信号Ａに１パルスがＢＣＡデータの１チャネルビット長に相当する約５０００パルス／回転となるクロック信号を同期させ、該クロック信号を基にデータバッファ部１６からのデータをＲＺ変調したＲＺ変調信号に従い、光学ヘッド８から照射するレーザ出力を初期化パワー２１及びバイアスパワー２２となるようにパルス駆動することでディスク媒体上にアモルファスマーク２３を形成する。
【００２１】
　前記初期化パワー２１は、ディスク媒体状上に物質的状態変化を与えるレベル、即ちディスク記録膜が初期化され反射率が高くなるレベルに設定し、バイアスパワー２２はディスク媒体に物質的状態変化を全く与えないレベル、即ちディスク記録膜が初期化されず、反射率を低い状態のまま維持できるレベルに設定する。
【００２２】
　次いでＢＣＡコードの記録は、前記初期化に続いてキャリッジ制御部１１によりレーザスポット９がディスク媒体１上のＢＣＡコード記録エリアに移動したとき、前記スピンドル制御部１０から出力される信号Ｚのタイミングで開始し、半径方向のレーザスポット幅２４、即ち１回転当たりに生成されるアモルファスマークがＢＣＡコードとして必要な長さに満たない場合は、キャリッジ７の１回転当たりの移動量をレーザスポット幅２２以下に設定した上で、データバッファ部１６に格納されているシリアルデータの記録動作を繰返し数回転行うことにより、アモルファスマーク２３を放射線状に接続してＢＣＡコードの必要長を記録する。
【００２３】
　更に、前記アモルファスマーク２３がＢＣＡコードの必要長を得たＢＣＡコード記録が終了した時点で、光学ヘッド８から照射するレーザ出力を初期化パワーとしてレーザ照射を続けることにより、残りのトラックの初期化を継続し、一連の動作でＢＣＡコードの記録と記録膜の初期化を行うことができる。
【００２４】
　以上、前記アモルファスマークによるＢＣＡコード記録方法の実施形態について説明したが、本発明は、図２のＲＺ変調信号に対するレーザ出力の極性を反転し、初期化パワー２１を光ディスクの反射膜を除去できるレベルに設定するだけで、ＢＣＡコード記録を相変化型以外の記録方式の光ディスクにも適用することができる。
【００２５】
　この様に本実施形態による光ディスク初期化装置は、光ディスクに複数のトラックにまたがる長円形状のレーザスポット光を照射して光ディスクの記録膜を初期化すると共に、データバッファ部に格納されている全シリアルデータを１回転毎にクロック発生部からの変調クロックにより変調し、且つ回転角を検出しながら、光ヘッド出力制御部が光ヘッド上のレーザ光をパルス駆動することにより、キャリッジを移動させながら複数回転実行することにより、半径方向の記録長が可変なバーコード状のデータを光ディスク表面に記録することができる。
【００２６】
　また、初期化部と未初期化部によりバーコード状データを生成する相変化型等の記録方式の場合、半径方向の記録長が可能なバーコード状データの記録と、記録膜の初期化を一連の動作で実行することができる。
【００２７】
　次に前記光ディスク初期化装置の全体動作の概略を図３を参照して説明する。本光ディスク初期化装置は、通常の記録膜の初期化を行う場合、まずディスク媒体１を搬入してスピンドルモータ２にクランプし（ステップ２５〜２６）、続いてスピンドルモータ２を駆動してディスク媒体１を回転させながら光学ヘッド８によりレーザスポット９の照射を開始し且つ該スポットのフォーカス制御を行い初期化を開始する（ステップ２７〜３０）。
【００２８】
　ここでディスクの記録膜の初期化のみを行う場合は、キャリッジ７を移動しながらトラックの初期化を行い（ステップ３５）、キャリッジ移動及びレーザスポットの発光を停止（ステップ３６〜３７）、ディスク媒体１の回転の停止（ステップ３８）した後、ディスククランプを解除しディスク媒体の外部への排出（ステップ３９〜４０）を順次行って処理を停止する。
【００２９】
　ここで本装置が、ディスク媒体１にＢＣＡコードの記録も行う場合は、前記ディスク媒体の初期化を開始（ステップ３０）し、ディスク媒体１のＢＣＡコード領域にキャリッジが到達したとき、上位コントローラ２０から指示されたＢＣＡデータが格納されているデータバッファ部１６からのシリアルデータを変調部１７にてＲＺ変調を行い、この信号に従ってレーザ出力制御部１３が検出部により回転角を検出しながらレーザをパルス駆動することでＢＣＡコードの記録を行う（ステップ３１〜３２）。この記録動作は、キャリッジがＢＣＡコード記録領域内に移動している間、複数回転実行し（ステップ３３〜３４）、必要なＢＣＡコードの長さに該コードの記録を行う。次にキャリッジがＢＣＡコード記録領域から脱した処でレーザのパルス駆動を初期化パワーとして残トラックの初期化を行った後（ステップ３５）、ステップ３６〜４０に従ってディスクを排出する。
【００３０】
　この様に本実施形態による光ディスク初期化装置は、１台の装置、且つ一連の動作で記録面の初期化とＢＣＡコードの記録を行うことができ、ディスク製造メーカにおける設備コストの削減、及び製造タクトの短縮が実現できる。
【図面の簡単な説明】
【００３１】
【図１】本発明の一実施形態による光ディスク初期化装置の概略構成を示す図。
【図２】本発明の一実施形態による光ディスク初期化装置のＢＣＡコード記録方法を説明するための図。
【図３】本発明の一実施形態による光ディスク初期化装置の動作を説明するためのフローチャート図。
【符号の説明】
【００３２】
１：ディスク媒体、２：スピンドルモータ、３：ロータリーエンコーダ、４：キャリッジモータ、５：リニアスケール、６：ベース、７：キャリッジ、８：光学ヘッド、９：レーザスポット、１０：スピンドル制御部、１１：キャリッジ制御部、１２：フォーカス制御部、１３：レーザ出力制御部、１４：マイクロプロセッサ、１５：データ変換部、１６：データバッファ部、１７：変調部、１８：クロック発生部、１９：データインターフェース部、２０：上位コントローラ、２１：初期化パワー、２２：バイアスパワー、２３：アモルファスマーク、２４：レーザスポット幅。
【図１】
2004127514.tif 000003
【図２】
2004127514.tif 000004
【図３】
2004127514.tif 000005